【手続補正書】
【提出日】平成28年5月18日(2016.5.18)
【手続補正１】
【補正対象書類名】特許請求の範囲
【補正対象項目名】全文
【補正方法】変更
【補正の内容】
【特許請求の範囲】
【請求項１】
ターゲット画像を表示するべく駆動されるディスプレイの中の１つのピクセル値における劣化を低減する方法であって、
中にある複数のピクセルについてのピクセル値データを含むターゲット画像を受け取るステップであって、前記ピクセル値データは、前記ターゲット画像の中の１つのピクセルについての１つの色を表す望ましいピクセル値を規定するステップと、
前記ピクセル値データから前記ターゲット画像の中の各ピクセルについてのピクセル影響値を決定するステップと、
前記ターゲット画像の中の各ピクセルについてのピクセル影響値を使って補償画像を生成するステップであって、前記補償画像は、複数のピクセルについてのピクセル補償値データを中に含み、前記ピクセル補償値データは、前記補償画像の中の１つのピクセルについての１つの色遷移を表すステップと、
前記補償画像を使ってディスプレイ補償駆動信号を生成するステップと、
１つのピクセル値における劣化を低減するために前記補償画像を表示するように前記ディスプレイ補償駆動信号を使ってディスプレイを駆動するステップと
を含む方法。
【請求項２】
前記ピクセル影響値を決定するステップは、
各ピクセルについて、関心ピクセルの第１ターゲットピクセル値を前記ターゲット画像の中の隣接ピクセルの第２ターゲットピクセル値と比較することと、
前記第１ターゲットピクセル値と前記第２ターゲットピクセル値との差を決定することと
を含む、請求項１による方法。
【請求項３】
第２ターゲットピクセル値は、前記ターゲット画像の中の２つ以上の隣接ピクセルの平均ターゲットピクセル値を含む、請求項２による方法。
【請求項４】
隣接ピクセルは、関心ピクセルの上、下、左又は右のピクセルである、請求項２又は３による方法。
【請求項５】
前記補償画像を生成するステップは、前記ターゲット画像の中の各ピクセルについての前記ピクセル影響値を使って中間画像を生成することを含み、
前記中間画像は、前記中間画像の中の複数のピクセルについての中間ピクセル値データを含み、
前記中間ピクセル値データは、前記中間画像の中の１つのピクセルについての１つの色を表す、請求項１−４のいずれかによる方法。
【請求項６】
前記中間画像を生成するステップは、
各ピクセルについての前記ピクセル影響値を閾値ピクセル値と比較することと、
前記閾値ピクセル値に対する前記ピクセル影響値に応じて中間ピクセル値を設定することと
を含む、請求項５による方法。
【請求項７】
前記ピクセル影響値が前記閾値ピクセル値よりも下の場合、前記中間ピクセル値は、黒を表すピクセル値と白を表すピクセル値との間の平均ピクセル値に設定される、請求項６による方法。
【請求項８】
前記ピクセル影響値が前記閾値ピクセル値よりも大きく、かつ、前記望ましいピクセル値がより白い場合、前記中間ピクセル値は、黒を表すピクセル値に設定される、請求項６又は７による方法。
【請求項９】
前記ピクセル影響値が前記閾値ピクセル値よりも大きく、かつ、前記望ましいピクセル値がより黒い場合、前記中間ピクセル値は、白を表すピクセル値に設定される、請求項６、７又は８による方法。
【請求項１０】
前記ディスプレイ補償駆動信号を生成するステップは、
平均である中間ピクセル値を有する前記中間画像の中の各ピクセルについて、駆動信号が提供されないようにヌル状態を設定することを含む、請求項７、８又は９による方法。
【請求項１１】
前記ディスプレイ補償駆動信号を生成するステップは、
黒又は白を表す中間ピクセル値を有する前記中間画像の中の各ピクセルについて、前記中間ピクセル値及び前記ピクセル影響値に基づいて複数の波形から第１駆動波形を選択することを含む、請求項７−１０のいずれか１つによる方法。
【請求項１２】
前記第１駆動波形は、前記ピクセル影響値に応じた黒又は白から第２ピクセル値への遷移に基づいてディスプレイを駆動する駆動信号を規定する、請求項１１による方法。
【請求項１３】
ターゲット画像を表示するべくディスプレイを駆動する方法であって、
前記ターゲット画像の中の複数のピクセルについてのピクセル値データを含むターゲット画像を受け取ることであって、前記ピクセル値データは、前記ターゲット画像の中の１つのピクセルについての１つの色を表す望ましいピクセル値を規定することと、
請求項１−１２のいずれか１つによる方法を使って、前記ターゲット画像の中の１つのピクセル値における劣化を低減することと
を含み、
前記ディスプレイ補償駆動信号がディスプレイ駆動信号である方法。
【請求項１４】
ターゲット画像を表示するべくディスプレイを駆動する方法であって、
前記ターゲット画像の中の複数のピクセルについてのピクセル値データを含むターゲット画像を受け取ることであって、前記ピクセル値データは、前記ターゲット画像の中の１つのピクセルについての１つの色を表す望ましいピクセル値を規定することと、
前記ターゲット画像を使ってディスプレイ駆動信号を生成することと、
前記ターゲット画像を表示するべく前記ディスプレイ駆動信号を使ってディスプレイを駆動することと、
請求項１−１２のいずれか１つによる方法を使って、表示されたターゲット画像の中の１つのピクセル値における劣化を低減することと
を含む方法。
【請求項１５】
前記ターゲット画像を使ってディスプレイ駆動信号を生成するステップは、前記ターゲット画像の中の各ピクセル値について、
前記ターゲット画像のピクセル値を、前記ディスプレイに表示されている現行のピクセル値と比較することと、
前記ディスプレイに表示されている前記現行のピクセル値から前記ターゲット画像の中の前記望ましいピクセル値まで１つのピクセルを駆動するために、複数の波形から駆動波形を選択することと
を含む、請求項１３又は１４による方法。
【請求項１６】
前記ターゲット画像を受け取るステップは、受け取った前記ターゲット画像をフレームバッファーに格納することを含み、
前記ターゲット画像のピクセル値を現行のピクセル値と比較するステップは、前記フレームバッファーに格納された前記ターゲット画像のピクセル値を前記現行のピクセル値と比較することを含む、請求項１５による方法。
【請求項１７】
前記ディスプレイに表示されている前記現行のピクセル値をサンプルバッファーの中に格納することを含み、
前記ターゲット画像のピクセル値を現行のピクセル値と比較するステップは、前記ターゲット画像のピクセル値を前記サンプルバッファーに格納された前記現行のピクセル値と比較することを含む、請求項１５又は１６による方法。
【請求項１８】
前記ディスプレイは電気泳動ディスプレイである、請求項１−１７のいずれかによる方法。
【請求項１９】
前記望ましいピクセル値は、黒、白、又は黒と白の間の灰色の色合いを含む１つの色を表す、請求項１−１８のいずれかによる方法。
【請求項２０】
ディスプレイドライバーであって、
前記ディスプレイドライバーと結合可能なディスプレイにターゲット画像を表示するべく駆動されるディスプレイの中の１つのピクセル値における劣化を低減し、
前記ディスプレイドライバーは、
中にある複数のピクセルについてのピクセル値データを含むターゲット画像を受け取る入力部と、
１つのピクセル値における劣化を低減するために補償画像を表示するように前記ディスプレイドライバーに結合可能なディスプレイにディスプレイ駆動信号を出力する出力部と、
前記入力部及び前記出力部に結合され、１つのピクセル値における劣化を低減するために前記ディスプレイドライバーに結合可能なディスプレイに表示するための補償画像を生成するべく構成されたプロセッサと
を含み、
前記ピクセル値データは、前記ターゲット画像の中の１つのピクセルについての１つの色を表す望ましいピクセル値を規定し、
前記プロセッサは、
前記ピクセル値データから受け取ったターゲット画像の中の各ピクセルについてのピクセル影響値を決定することと、
前記ターゲット画像の中の各ピクセルについての前記ピクセル影響値を使って前記補償画像を生成することと、
前記補償画像を使ってディスプレイ補償駆動信号を生成することと、
１つのピクセル値における劣化を低減するために前記補償画像を表示するべく前記ディスプレイ補償駆動信号を使って前記ディスプレイドライバーに結合可能なディスプレイを駆動することと
を行うべく構成され、
前記補償画像は、前記補償画像の中の複数のピクセルについてのピクセル補償値データを含み、
前記ピクセル補償値データは、前記補償画像の中の１つのピクセルについての１つの色遷移を表す望ましいピクセル値を規定する、ディスプレイドライバー。
【請求項２１】
前記プロセッサは、
各ピクセルについて、関心ピクセルの第１ターゲットピクセル値を前記ターゲット画像の中の隣接ピクセルの第２ターゲットピクセル値と比較することと、
第１ターゲットピクセル値と前記第２ターゲットピクセル値との差を決定することと
によって補償画像を生成するべく構成される、請求項２０によるディスプレイドライバー。
【請求項２２】
前記第２ターゲットピクセル値は、前記ターゲット画像の中の２つ以上の隣接ピクセルの平均ターゲットピクセル値を含む、請求項２１によるディスプレイドライバー。
【請求項２３】
隣接ピクセルは、関心ピクセルの上、下、左又は右のピクセルである、請求項２１又は２２によるディスプレイドライバー。
【請求項２４】
前記プロセッサは、前記ターゲット画像の中の各ピクセルについての前記ピクセル影響値を使って中間画像を生成することによって補償画像を生成するべく構成され、
前記中間画像は、前記中間画像の中の複数のピクセルについての中間ピクセル値データを含み、
前記中間ピクセル値データは、前記中間画像の中の１つのピクセルについての１つの色を表すピクセル値を規定する、請求項２０−２３のいずれかによるディスプレイドライバー。
【請求項２５】
前記プロセッサは、
各ピクセルについての前記ピクセル影響値を閾値ピクセル値と比較することと、
前記閾値ピクセル値に対する前記ピクセル影響値に応じて中間ピクセル値を設定することと
によって中間画像を生成するべく構成される、請求項２４によるディスプレイドライバー。
【請求項２６】
前記ピクセル影響値が前記閾値ピクセル値よりも下の場合、前記プロセッサは、前記中間ピクセル値を、黒を表すピクセル値と白を表すピクセル値との間の平均ピクセル値に設定するべく構成される、請求項２５によるディスプレイドライバー。
【請求項２７】
前記ピクセル影響値が前記閾値ピクセル値よりも大きく、かつ、前記望ましいピクセル値がより白い場合、前記プロセッサは、前記中間ピクセル値を、黒を表すピクセル値に設定するべく構成される、請求項２５又は２６によるディスプレイドライバー。
【請求項２８】
前記ピクセル影響値が前記閾値ピクセル値よりも大きく、かつ、前記望ましいピクセル値がより黒い場合、前記プロセッサは、前記中間ピクセル値を、白を表すピクセル値に設定するべく構成される、請求項２５、２６又は２７によるディスプレイドライバー。
【請求項２９】
前記プロセッサは、
平均である中間ピクセル値を有する前記中間画像の中の各ピクセルについて、駆動信号が提供されないようにヌル状態を設定することによってディスプレイ補償駆動信号を生成するべく構成される、請求項２６、２７又は２８によるディスプレイドライバー。
【請求項３０】
前記プロセッサは、
黒又は白を表す中間ピクセル値を有する前記中間画像の中の各ピクセルについて、前記中間ピクセル値及び前記ピクセル影響値に基づいて複数の波形から第１駆動波形を選択することによってディスプレイ補償駆動信号を生成するべく構成される、請求項２６−２９のいずれか１つによるディスプレイドライバー。
【請求項３１】
前記第１駆動波形は、前記ピクセル影響値に応じた黒又は白から第２ピクセル値への遷移に基づいてディスプレイを駆動する駆動信号を規定する、請求項３０によるディスプレイドライバー。
【請求項３２】
前記プロセッサは、前記ピクセル影響値を決定することに先立って、
前記ターゲット画像を使ってディスプレイ駆動信号を生成することと、
前記ターゲット画像を表示するべく前記ディスプレイ駆動信号を使って前記ディスプレイドライバーに結合可能なディスプレイを駆動することと
を行うべく構成される、請求項２０−３１のいずれか１つによるディスプレイドライバー。
【請求項３３】
前記プロセッサは、前記ターゲット画像の中の各ピクセル値について、
前記ターゲット画像のピクセル値を、前記ディスプレイに表示されている現行のピクセル値と比較することと、
前記ディスプレイに表示されている前記現行のピクセル値から前記ターゲット画像の中の望ましいピクセル値まで１つのピクセルを駆動するために、複数の波形から駆動波形を選択することと
によって前記ターゲット画像を使ってディスプレイ駆動信号を生成するべく構成される、請求項３２によるディスプレイドライバー。
【請求項３４】
フレームバッファーを含み、
前記プロセッサは、前記フレームバッファーに受け取った前記ターゲット画像を格納するべく構成され、
前記プロセッサは、前記フレームバッファーに格納された前記ターゲット画像のピクセル値を前記現行のピクセル値と比較するべく構成される、請求項３３によるディスプレイドライバー。
【請求項３５】
サンプルバッファーを含み、
前記プロセッサは、前記ディスプレイドライバーに結合可能なディスプレイに表示されている前記現行のピクセル値を前記サンプルバッファーに格納するべく構成され、
前記プロセッサは、前記ターゲット画像のピクセル値を前記サンプルバッファーに格納された前記現行のピクセル値と比較するべく構成される、請求項３３又は３４によるディスプレイドライバー。
【請求項３６】
ディスプレイと、
前記ディスプレイに結合された、請求項２０−３５のいずれか１つによるディスプレイドライバーと
を含む、電子ディスプレイデバイス。
【請求項３７】
前記ディスプレイは電気泳動ディスプレイである、請求項２０−３５のいずれか１つによるディスプレイドライバー。
【請求項３８】
前記望ましいピクセル値は、黒、白、又は黒と白の間の灰色の色合いを含む１つの色を表す、請求項２０−３５及び３７のいずれか１つによるディスプレイドライバー。